(57)【特許請求の範囲】
【請求項１】
番組の音声レベルを監視する音声レベル監視装置において、
前記番組の音声信号を入力し、所定の測定開始時点から現在時点までの間のラウドネス値の平均値を、前記現在時点の平均ラウドネス値として算出する平均ラウドネス値算出手段と、
前記平均ラウドネス値算出手段により算出された前記現在時点の平均ラウドネス値、前記番組全体の平均ラウドネス値の目標値を示すターゲットラウドネス値、及び前記測定開始時点から所定の測定終了時点までの間の測定時間長に基づいて、前記現在時点から前記測定終了時点までの間の残時間にて前記平均ラウドネス値算出手段により算出される前記測定終了時点の平均ラウドネス値を前記ターゲットラウドネス値に近づけるためのデータを、前記音声レベルを調整するための補助指標として算出する補助指標算出手段と、
を備えたことを特徴とする音声レベル監視装置。
【請求項２】
請求項１に記載の音声レベル監視装置において、
前記補助指標算出手段は、
前記平均ラウドネス値算出手段により算出された前記現在時点の平均ラウドネス値、前記番組全体の平均ラウドネス値の目標値を示すターゲットラウドネス値、及び前記測定開始時点から所定の測定終了時点までの間の測定時間長に基づいて、前記現在時点から前記測定終了時点までの間の残時間における平均ラウドネス値の目標となり得る残時間目標平均ラウドネス値を、前記補助指標として算出する、ことを特徴とする音声レベル監視装置。
【請求項３】
請求項１に記載の音声レベル監視装置において、
前記補助指標算出手段は、
前記平均ラウドネス値算出手段により算出された前記現在時点の平均ラウドネス値、前記番組全体の平均ラウドネス値の許容上限を示す許容上限ラウドネス値、及び前記測定開始時点から所定の測定終了時点までの間の測定時間長に基づいて、前記現在時点から前記測定終了時点までの間の残時間における平均ラウドネス値の許容上限となり得る残時間目標平均ラウドネス値の許容上限値を、前記補助指標として算出する、ことを特徴とする音声レベル監視装置。
【請求項４】
請求項１に記載の音声レベル監視装置において、
前記補助指標算出手段は、
前記平均ラウドネス値算出手段により算出された前記現在時点の平均ラウドネス値、前記番組全体の平均ラウドネス値の許容下限を示す許容下限ラウドネス値、及び前記測定開始時点から所定の測定終了時点までの間の測定時間長に基づいて、前記現在時点から前記測定終了時点までの間の残時間における平均ラウドネス値の許容下限となり得る残時間目標平均ラウドネス値の許容下限値を、前記補助指標として算出する、ことを特徴とする音声レベル監視装置。
【請求項５】
請求項１に記載の音声レベル監視装置において、
前記補助指標算出手段は、
前記測定開始時点から前記測定終了時点までの間の測定時間長における、前記ターゲットラウドネス値、及び前記番組全体の平均ラウドネス値の許容上限を示す許容上限ラウドネス値の差分を示す超過の許容限量と、前記測定開始時点から前記現在時点までの間の時間長における、前記平均ラウドネス値算出手段により算出された平均ラウドネス値が前記ターゲットラウドネス値以上である場合の前記平均ラウドネス値及び前記ターゲットラウドネス値の差分を示す超過量との間の比を、超過ラウドネス値として算出すると共に、
前記測定時間長における、前記ターゲットラウドネス値、及び前記番組全体の平均ラウドネス値の許容下限を示す許容下限ラウドネス値の差分を示す不足の許容限量と、前記測定開始時点から前記現在時点までの間の時間長における、前記平均ラウドネス値算出手段により算出された平均ラウドネス値が前記ターゲットラウドネス値以下である場合の前記平均ラウドネス値及び前記ターゲットラウドネス値の差分を示す不足量との間の比を、不足ラウドネス値として算出し、
前記超過ラウドネス値及び前記不足ラウドネス値を前記補助指標とする、ことを特徴とする音声レベル監視装置。
【請求項６】
請求項５に記載の音声レベル監視装置において、
前記補助指標算出手段により算出された超過ラウドネス値及び不足ラウドネス値を、超過していることを示す側及び不足していることを示す側を有する１本のレベルメータで表示する超過・不足ラウドネス値表示手段を備え、
前記超過・不足ラウドネス値表示手段は、
前記現在時点の平均ラウドネス値が前記ターゲットラウドネス値に一致する場合、前記レベルメータの中央にレベルを表示し、
前記現在時点の平均ラウドネス値が前記ターゲットラウドネス値よりも大きく、かつ許容上限ラウドネス値以下の場合、前記レベルメータ内の前記超過していることを示す側に第１の形態でレベルを表示し、前記現在時点の平均ラウドネス値が前記ターゲットラウドネス値よりも大きく、かつ許容上限ラウドネス値よりも大きい場合、前記レベルメータ内の前記超過していることを示す側に前記第１とは異なる形態でレベルを表示し、
前記現在時点の平均ラウドネス値が前記ターゲットラウドネス値よりも小さく、かつ許容下限ラウドネス値以上の場合、前記レベルメータ内の前記不足していることを示す側に第２の形態でレベルを表示し、前記現在時点の平均ラウドネス値が前記ターゲットラウドネス値よりも小さく、かつ前記許容下限ラウドネス値よりも小さい場合、前記レベルメータ内の前記不足していることを示す側に前記第２とは異なる形態でレベルを表示する、ことを特徴とする音声レベル監視装置。
【請求項７】
請求項１から６までのいずれか一項に記載の音声レベル監視装置において、
前記測定開始時点では、当該測定開始時点から前記測定終了時点までの間の測定時間長を、固定の時間長とし、測定中に切り替え信号を入力すると、前記測定終了時点を、前記現在時点よりも所定時間後の時点に設定し、前記測定開始時点から前記測定終了時点までの間の測定時間長を、可変の時間長とする、ことを特徴とする音声レベル監視装置。
【請求項８】
コンピュータを、請求項１から７までのいずれか一項に記載の音声レベル監視装置として機能させるためのプログラム。
【発明の詳細な説明】
【技術分野】
【０００１】
本発明は、番組音声の大きさを評価するラウドネス値を計測する技術に関し、特に、番組音声の音声レベルを監視し、その音声レベルを調整するための補助指標を算出する音声レベル監視装置及びプログラムに関する。
【背景技術】
【０００２】
番組音声の大きさを評価するラウドネス値を計測する国際基準の手法が、ＩＴＵ−Ｒ（国際電気通信連合無線通信部門）によりＢＳ．１７７０−３にて勧告されている（非特許文献１を参照）。また、番組間または放送局間における音の大きさのばらつきが、視聴者による快適な視聴を阻害するとして、放送番組制作時の音声レベルに関する運用規定が、ＡＲＩＢ（社団法人電波産業会）によりＴＲ−Ｂ３２にて策定されている（非特許文献２を参照）。
【０００３】
非特許文献２のＡＲＩＢ  ＴＲ−Ｂ３２の運用規定では、全ての番組は、番組全体の平均ラウドネス値をターゲットラウドネス値、すなわち−２４ＬＫＦＳを番組の聴取レベルを適正に保つための目標として制作するべきであり、運用上の許容範囲は±１ｄＢであるとされている。ここで、ラウドネスは、人が感じる音の大きさ（音の感覚量）を示し、ラウドネス値は、非特許文献１にて規定された、デジタル録音レベルからラウドネス測定アルゴリズムに基づいて算出されたラウドネスの推定値である。
【０００４】
一般に、番組音声の大きさを評価するラウドネス値を計測する装置はラウドネスメータと呼ばれる。このラウドネスメータは、番組制作時に音声信号を入力し、番組全体におけるラウドネス値の平均値（平均ラウドネス値）を測定し、番組音声の大きさを評価する指標として画面表示するものである。また、ITU-R BS.1771-1にて勧告されている、過去４００ミリ秒間または過去３秒間を単位とした平均ラウドネス値を、それぞれモメンタリーラウドネス値またはショートタームラウドネス値（以下、「瞬時的なラウドネス値」という。）として画面表示するものもある（非特許文献３を参照）。
【０００５】
放送番組の制作現場において、音声を担当する番組制作者は、このラウドネスメータに表示される現在時点までの平均ラウドネス値を、番組音声の大きさを評価する指標として、測定終了時点の平均ラウドネス値である番組全体の平均ラウドネス値が、予め設定されたターゲットラウドネス値に近づくように、番組音声の大きさを調整する。
【先行技術文献】
【非特許文献】
【０００６】
【非特許文献１】勧告ＩＴＵ−Ｒ  ＢＳ．１７７０−３“Algorithms to measure audio programme loudness and true-peak audio level”
【非特許文献２】ＡＲＩＢ  ＴＲ−Ｂ３２“デジタルテレビ放送番組におけるラウドネス運用規定”
【非特許文献３】勧告ＩＴＵ−Ｒ  ＢＳ．１７７１−１“Requirements for loudness and true-peak indicating meters”
【発明の概要】
【発明が解決しようとする課題】
【０００７】
このラウドネスメータに表示される現在時点までの平均ラウドネス値は、経過時間に応じた積算値を用いて測定されるため、時間が経過すると共に、変動し難くなる。例えば、番組開始に近い時点でミキシング調整レベルを変更した場合と、番組終了に近い時点でミキシング調整レベル（番組開始に近い時点と同じ音声信号に対して同等のミキシング調整レベル）を変更した場合とを比較すると、それぞれの現在時点までの平均ラウドネス値は、前者は変動し易いが、後者は変動し難い。
【０００８】
このため、番組制作者は、現在時点が番組終盤の測定終了時点に近づくに従って、音声レベルの調整値が平均ラウドネス値の変動及び測定終了時点の平均ラウドネス値に反映し難くなり、番組全体の平均ラウドネス値をターゲットラウドネス値に近づけるように、音声レベルを調整することが困難になるという問題があった。
【０００９】
そこで、本発明は前記課題を解決するためになされたものであり、番組の音声レベルを調整するために有用な補助指標を算出可能な音声レベル監視装置及びプログラムを提供するものである。
【課題を解決するための手段】
【００１０】
前記課題を解決するために、本発明による音声レベル監視装置は、番組の音声レベルを監視する音声レベル監視装置において、前記番組の音声信号を入力し、所定の測定開始時点から現在時点までの間のラウドネス値の平均値を、前記現在時点の平均ラウドネス値として算出する平均ラウドネス値算出手段と、前記平均ラウドネス値算出手段により算出された前記現在時点の平均ラウドネス値、前記番組全体の平均ラウドネス値の目標値を示すターゲットラウドネス値、及び前記測定開始時点から所定の測定終了時点までの間の測定時間長に基づいて、前記現在時点から前記測定終了時点までの間の残時間にて前記平均ラウドネス値算出手段により算出される前記測定終了時点の平均ラウドネス値を前記ターゲットラウドネス値に近づけるためのデータを、前記音声レベルを調整するための補助指標として算出する補助指標算出手段と、を備えたことを特徴とする。
【００１１】
また、本発明による音声レベル監視装置は、前記補助指標算出手段が、前記平均ラウドネス値算出手段により算出された前記現在時点の平均ラウドネス値、前記番組全体の平均ラウドネス値の目標値を示すターゲットラウドネス値、及び前記測定開始時点から所定の測定終了時点までの間の測定時間長に基づいて、前記現在時点から前記測定終了時点までの間の残時間における平均ラウドネス値の目標となり得る残時間目標平均ラウドネス値を、前記補助指標として算出する、ことを特徴とする。
【００１２】
また、本発明による音声レベル監視装置は、前記補助指標算出手段が、前記平均ラウドネス値算出手段により算出された前記現在時点の平均ラウドネス値、前記番組全体の平均ラウドネス値の許容上限を示す許容上限ラウドネス値、及び前記測定開始時点から所定の測定終了時点までの間の測定時間長に基づいて、前記現在時点から前記測定終了時点までの間の残時間における平均ラウドネス値の許容上限となり得る残時間目標平均ラウドネス値の許容上限値を、前記補助指標として算出する、ことを特徴とする。
【００１３】
また、本発明による音声レベル監視装置は、前記補助指標算出手段が、前記平均ラウドネス値算出手段により算出された前記現在時点の平均ラウドネス値、前記番組全体の平均ラウドネス値の許容下限を示す許容下限ラウドネス値、及び前記測定開始時点から所定の測定終了時点までの間の測定時間長に基づいて、前記現在時点から前記測定終了時点までの間の残時間における平均ラウドネス値の許容下限となり得る残時間目標平均ラウドネス値の許容下限値を、前記補助指標として算出する、ことを特徴とする。
【００１４】
また、本発明による音声レベル監視装置は、前記補助指標算出手段が、前記測定開始時点から前記測定終了時点までの間の測定時間長における、前記ターゲットラウドネス値、及び前記番組全体の平均ラウドネス値の許容上限を示す許容上限ラウドネス値の差分を示す超過の許容限量と、前記測定開始時点から前記現在時点までの間の時間長における、前記平均ラウドネス値算出手段により算出された平均ラウドネス値が前記ターゲットラウドネス値以上である場合の前記平均ラウドネス値及び前記ターゲットラウドネス値の差分を示す超過量との間の比を、超過ラウドネス値として算出すると共に、前記測定時間長における、前記ターゲットラウドネス値、及び前記番組全体の平均ラウドネス値の許容下限を示す許容下限ラウドネス値の差分を示す不足の許容限量と、前記測定開始時点から前記現在時点までの間の時間長における、前記平均ラウドネス値算出手段により算出された平均ラウドネス値が前記ターゲットラウドネス値以下である場合の前記平均ラウドネス値及び前記ターゲットラウドネス値の差分を示す不足量との間の比を、不足ラウドネス値として算出し、前記超過ラウドネス値及び前記不足ラウドネス値を前記補助指標とする、ことを特徴とする。
【００１５】
また、本発明による音声レベル監視装置は、前記補助指標算出手段により算出された超過ラウドネス値及び不足ラウドネス値を、超過していることを示す側及び不足していることを示す側を有する１本のレベルメータで表示する超過・不足ラウドネス値表示手段を備え、前記超過・不足ラウドネス値表示手段が、前記現在時点の平均ラウドネス値が前記ターゲットラウドネス値に一致する場合、前記レベルメータの中央にレベルを表示し、前記現在時点の平均ラウドネス値が前記ターゲットラウドネス値よりも大きく、かつ許容上限ラウドネス値以下の場合、前記レベルメータ内の前記超過していることを示す側に第１の形態でレベルを表示し、前記現在時点の平均ラウドネス値が前記ターゲットラウドネス値よりも大きく、かつ許容上限ラウドネス値よりも大きい場合、前記レベルメータ内の前記超過していることを示す側に前記第１とは異なる形態でレベルを表示し、前記現在時点の平均ラウドネス値が前記ターゲットラウドネス値よりも小さく、かつ許容下限ラウドネス値以上の場合、前記レベルメータ内の前記不足していることを示す側に第２の形態でレベルを表示し、前記現在時点の平均ラウドネス値が前記ターゲットラウドネス値よりも小さく、かつ前記許容下限ラウドネス値よりも小さい場合、前記レベルメータ内の前記不足していることを示す側に前記第２とは異なる形態でレベルを表示する、ことを特徴とする。
【００１６】
また、本発明による音声レベル監視装置は、前記測定開始時点では、当該測定開始時点から前記測定終了時点までの間の測定時間長を、固定の時間長とし、測定中に切り替え信号を入力すると、前記測定終了時点を、前記現在時点よりも所定時間後の時点に設定し、前記測定開始時点から前記測定終了時点までの間の測定時間長を、可変の時間長とする、ことを特徴とする。
【００１７】
さらに、本発明によるプログラムは、コンピュータを、前記音声レベル監視装置として機能させることを特徴とする。
【発明の効果】
【００１８】
以上のように、本発明によれば、番組の音声レベルを調整するために有用な補助指標を算出することができる。例えば、番組制作者は、番組の音声レベルを調整する際に、算出された補助指標を参照することで、番組全体の平均ラウドネス値を、予め設定されたターゲットラウドネス値に簡便に近づけることができる。
【図面の簡単な説明】
【００１９】
【図１】残時間目標平均ラウドネス値を算出する際の、ブロック毎の二乗平均値の推移イメージを示す図である。
【図２】超過ラウドネス値及び不足ラウドネス値を算出する際の、ブロック毎の二乗平均値の推移イメージを示す図である。
【図３】本発明の実施形態による音声レベル監視装置の構成を示すブロック図である。
【図４】平均ラウドネス値算出手段によるブロック毎の二乗平均値算出処理の一例を示すフローチャートである。
【図５】平均ラウドネス値算出手段による絶対ゲーティング処理を示すフローチャートである。
【図６】平均ラウドネス値算出手段による相対ゲーティング処理を示すフローチャートである。
【図７】残時間目標平均ラウドネス値算出手段の構成を示すブロック図である。
【図８】残時間目標平均ラウドネス値算出手段の処理を示すフローチャートである。
【図９】超過・不足ラウドネス値算出手段の構成を示すブロック図である。
【図１０】超過・不足ラウドネス値算出手段の処理を示すフローチャートである。
【図１１】超過・不足ラウドネス値表示手段により画面表示された超過ラウドネス値及び不足ラウドネス値の表示形態の一例を示す図である。
【発明を実施するための形態】
【００２０】
以下、本発明を実施するための形態について図面を用いて詳細に説明する。本発明は、番組全体の平均ラウドネス値を、予め設定されたターゲットラウドネス値に近づけるための補助的なラウドネス指標（以下、補助指標という。）を、現在時点の平均ラウドネス値、及び測定開始時点から測定終了時点までの間の測定時間長等に基づいて算出することを特徴とする。例えば、本発明は、補助指標として、残時間目標平均ラウドネス値、残時間目標平均ラウドネス値の許容上限値、残時間目標平均ラウドネス値の許容下限値、並びに、超過ラウドネス値及び不足ラウドネス値のうちの少なくとも一つを算出する。これらの補助指標は、番組制作等に用いられる。
【００２１】
〔残時間目標平均ラウドネス値〕
まず、補助指標として、残時間目標平均ラウドネス値を算出する手法について説明する。番組制作者は、従来のラウドネスメータを使用した場合、測定開始時点（番組開始時点）から現在時点までの間のラウドネス値の平均値である平均ラウドネス値（現在時点までの平均ラウドネス値、以下、「現在時点の平均ラウドネス値」という。）を指標として参照し、測定終了時点（番組終了時点）の平均ラウドネス値（番組全体の平均ラウドネス値）がターゲットラウドネス値に近づくように、現在時点において番組の音声レベルを調整する。
【００２２】
しかしながら、現在時点以降の平均ラウドネス値の調整は、番組終了までの残時間に依存し、瞬時的なラウドネス値が番組全体の平均ラウドネス値へ影響する度合いが異なることから、現在時点の平均ラウドネス値のみを指標として音声レベルを調整したとしても、番組全体の平均ラウドネス値をターゲットラウドネス値に近づけることが困難である。
【００２３】
そこで、本発明では、ターゲットラウドネス値に対し、現在時点の平均ラウドネス値の超過分または不足分を補うための補助指標であって、現在時点から測定終了時点までの間の残り時間にて目標となり得る平均ラウドネス値を、残時間目標平均ラウドネス値として算出する。これにより、番組制作者は、測定終了時点の番組全体の平均ラウドネス値をターゲットラウドネス値に近づけるための補助指標として、残時間目標平均ラウドネス値を利用することができ、番組全体を考慮した音声レベルの調整が容易となる。
【００２４】
図１は、残時間目標平均ラウドネス値を算出する際の、ブロック毎の二乗平均値の推移イメージを示す図である。横軸は、経過時間（入力音声を切り出したブロックの数）を示し、縦軸は、Ｋ特性フィルタ処理が施された入力音声のブロック内の二乗平均値を示す。
【００２５】
番組全体のブロック数を示す測定時間長をＮall、現在時点のブロック数（ブロック番号）をｋ、現在時点までの絶対ゲーティング処理及び相対ゲーティング処理の後における有効ブロック数をｍ、残時間目標二乗平均値を
0006420660.tif 000002
とする。Ｎallは正の整数であり、ｋ，ｍは０以上の整数であり、ｋ≧ｍである。現在時点における番組全体の見込み有効ブロック数Ｎは、以下の式で表される。
［数１］
Ｎ＝Ｎall−ｋ＋ｍ          ・・・（１）
【００２６】
また、測定開始時点から現在時点までの音声信号の二乗平均値（現在時点の二乗平均値）を
0006420660.tif 000003
、ターゲットラウドネス値をＬt（＝−２４ＬＫＦＳ）、ターゲットラウドネス値Ｌtに対応する二乗平均値（ターゲット二乗平均値）をＺtとする。現在時点から測定終了時点までの間の残時間において、番組全体の二乗平均値（測定終了時点の二乗平均値）に対応する番組全体の平均ラウドネス値をターゲットラウドネス値Ｌtに一致させるために、目標とすべき二乗平均値（残時間目標二乗平均値）は、以下の式で表される。
［数２］
0006420660.tif 000004
【００２７】
これをラウドネス換算することにより、残時間目標平均ラウドネス値Ｌ0が算出される。つまり、残時間において、番組全体の二乗平均値（測定終了時点の二乗平均値）に対応する番組全体の平均ラウドネス値をターゲットラウドネス値Ｌtに一致させるために、目標とすべきラウドネス値（残時間目標平均ラウドネス値：残時間にて目標となり得る値）Ｌ0は、以下の式で表される。
［数３］
0006420660.tif 000005
この式（３）は、二乗平均値とラウドネス値との間の関係を定義した数式である。
【００２８】
尚、前述のとおり、非特許文献２のＡＲＩＢ  ＴＲ−Ｂ３２の運用規定では、番組全体の平均ラウドネス値は、ターゲットラウドネス値Ｌt（＝−２４ＬＫＦＳ）に対して±１ＬＫＦＳの許容値（許容上限ラウドネス値Ｌu（＝−２３ＬＫＦＳ）及び許容下限ラウドネス値Ｌl（＝−２５ＬＫＦＳ））が規定されている。許容上限ラウドネス値Ｌuは、番組全体の平均ラウドネス値の許容上限の値を示し、許容下限ラウドネス値Ｌlは、番組全体の平均ラウドネス値の許容下限の値を示す。そこで、残時間目標平均ラウドネス値Ｌ0を補助指標とすることに加え、残時間目標平均ラウドネス値Ｌ0の許容上限値及び／または許容下限値を補助指標とするようにしてもよい。また、残時間目標平均ラウドネス値Ｌ0を補助指標とすることに代えて、残時間目標平均ラウドネス値Ｌ0の許容上限値及び／または許容下限値を補助指標とするようにしてもよい。残時間目標平均ラウドネス値Ｌ0の許容上限値は、残時間における平均ラウドネス値の許容上限となり得る値であり、残時間目標平均ラウドネス値Ｌ0の許容下限値は、残時間における平均ラウドネス値の許容下限となり得る値である。
【００２９】
残時間目標平均ラウドネス値Ｌ0の許容上限値及び許容下限値は、残時間目標平均ラウドネス値Ｌ0と同様に、前記式（２）及び前記式（３）を用いて算出される。残時間目標二乗平均値の許容上限値は、前記式（２）により、ターゲットラウドネス値Ｌtに対応する二乗平均値（ターゲット二乗平均値）Ｚtの代わりに、許容上限ラウドネス値Ｌuに対応する二乗平均値を用いて算出され、残時間目標平均ラウドネス値Ｌ0の許容上限値は、二乗平均値と平均ラウドネス値との間の関係が定義された前記式（３）により、残時間目標二乗平均値の許容上限値が変換されることで算出される。また、残時間目標二乗平均値の許容下限値は、前記式（２）により、ターゲットラウドネス値Ｌtに対応するターゲット二乗平均値Ｚtの代わりに、許容下限ラウドネス値Ｌlに対応する二乗平均値を用いて算出され、残時間目標平均ラウドネス値Ｌ0の許容下限値は、前記式（３）により、残時間目標二乗平均値の許容下限値が変換されることで算出される。
【００３０】
これにより、補助指標に許容幅を持たせることができることから、番組制作者は、測定終了時点の番組全体の平均ラウドネス値をターゲットラウドネス値Ｌtに近づけるための許容幅を有する補助指標として利用することができ、番組全体を考慮した音声レベルの調整が一層容易となる。
【００３１】
〔超過ラウドネス値・不足ラウドネス値〕
次に、補助指標として、超過ラウドネス値及び不足ラウドネス値を算出する手法について説明する。前述のとおり、前記非特許文献２のＡＲＩＢ  ＴＲ−Ｂ３２の運用規定によれば、番組全体の平均ラウドネス値について、ターゲットラウドネス値Ｌtに対し±１ＬＫＦＳの許容上限値及び許容下限値（許容上限ラウドネス値Ｌu及び許容下限ラウドネス値Ｌl）が定められている。許容上限ラウドネス値Ｌuと番組の時間長との積の値は、現在時点の平均ラウドネス値Ｌk（測定開始時点から現在時点までの間のターゲットラウドネス値Ｌtに対する平均ラウドネス値Ｌk）の総和の上限の許容値であると捉えることができる。また、許容下限ラウドネス値Ｌlと番組の時間長との積の値は、現在時点の平均ラウドネス値Ｌkの総和の下限の許容値であると捉えることができる。
【００３２】
そこで、本発明では、現在時点において、ターゲットラウドネス値Ｌtに対する平均ラウドネス値Ｌkの超過分の総和及び不足分の総和をそれぞれ算出すると共に、許容上限ラウドネス値Ｌu及び許容下限ラウドネス値Ｌlと番組の時間長との積を算出し、これらの比（超過ラウドネス値ＥＬＬ及び不足ラウドネス値ＳＬＬ）を補助指標として算出する。
【００３３】
すなわち、本発明では、測定開始時点から測定終了時点までの間の測定時間長における、ターゲットラウドネス値Ｌt及び許容上限ラウドネス値Ｌuの差分を示す超過の許容限量と、測定開始時点から現在時点までの間の時間長における、平均ラウドネス値Ｌkがターゲットラウドネス値Ｌt以上である場合の平均ラウドネス値Ｌk及びターゲットラウドネス値Ｌtの差分を示す超過量との間の比を、超過ラウドネス値ＥＬＬとして算出する。また、本発明では、測定開始時点から測定終了時点までの間の測定時間長における、ターゲットラウドネス値Ｌt及び許容下限ラウドネス値Ｌlの差分を示す不足の許容限量と、測定開始時点から現在時点までの間の時間長における、平均ラウドネス値Ｌkがターゲットラウドネス値Ｌt以下である場合の平均ラウドネス値Ｌk及びターゲットラウドネス値Ｌtの差分を示す不足量との間の比を、不足ラウドネス値ＳＬＬとして算出する。
【００３４】
これにより、番組制作者は、番組全体でのラウドネス値許容限に対する、現在時点における平均ラウドネス値Ｌkの超過及び不足の程度を知ることができる。したがって、番組制作者は、測定終了時点の番組全体の平均ラウドネス値をターゲットラウドネス値Ｌtに近づけるための補助指標として利用することができ、番組全体を考慮した音声レベルの調整が容易となる。
【００３５】
図２は、超過ラウドネス値ＥＬＬ及び不足ラウドネス値ＳＬＬを算出する際の、ブロック毎の二乗平均値の推移イメージを示す図である。横軸、縦軸、番組全体のブロック数を示す測定時間長Ｎall、現在時点のブロック数ｋ及び有効ブロック数ｍは、図１と同様である。ターゲットラウドネス値Ｌtに対応するターゲット二乗平均値をＺt、許容上限ラウドネス値Ｌuに対応する二乗平均値（許容上限二乗平均値）をＺu、許容下限ラウドネス値Ｌlに対応する二乗平均値（許容下限二乗平均値）をＺl、現在時点の二乗平均値（測定二乗平均値）をＺiとする。
【００３６】
ターゲット二乗平均値Ｚtを基準とした二乗平均値Ｚiの超過分を、測定開始時点から現在時点のブロック数ｉまでの各ブロックにて加算した総和と、許容される最大の超過分との間の比（超過許容上限比）は、以下の式で表される。
[数４]
0006420660.tif 000006
【００３７】
また、ターゲット二乗平均値Ｚtを基準とした二乗平均値Ｚiの不足分を、測定開始時点から現在時点のブロック数ｉまでの各ブロックにて加算した総和と、許容される最大の不足分との間の比（不足許容下限比）は、以下の式で表される。
[数５]
0006420660.tif 000007
【００３８】
また、前記式（４）は、以下のように書き換えることができる。
[数６]
0006420660.tif 000008
【００３９】
また、前記式（５）は、以下のように書き換えることができる。
[数７]
0006420660.tif 000009
【００４０】
前記式（６）を対数尺度で表し、これを超過ラウドネス値ＥＬＬ（Excess Loudness Level）と呼ぶ。
[数８]
0006420660.tif 000010
【００４１】
また、前記式（７）を対数尺度で表し、これを不足ラウドネス値ＳＬＬ（Shortage Loudness Level）と呼ぶ。
[数９]
0006420660.tif 000011
【００４２】
これらの超過ラウドネス値ＥＬＬ及び不足ラウドネス値ＳＬＬは、番組制作者により調整される音声レベルに対し、経過時間に依存することなく同じ度合いで変動する値であり、ゲーティング処理の影響を除けばリニアに変動する。これに対し、現在時点の平均ラウドネス値Ｌkは、測定開始に近い時点で算出された場合と測定終了に近い時点で算出された場合とを比較すると、音声レベルに対する変動の度合いが異なる。つまり、測定開始に近い時点で平均ラウドネス値Ｌkが算出されると、音声レベルの変動に伴い、平均ラウドネス値Ｌkも連動して変動するが、測定終了に近い時点で平均ラウドネス値Ｌkが算出された場合、音声レベルが変動しても、平均ラウドネス値Ｌkはさほど変動しない。つまり、現在時点の平均ラウドネス値Ｌkは、番組制作者により調整される音声レベルに対し、経過時間に依存した異なる度合いで変動する値であり、リニアに変動しない。
【００４３】
したがって、番組制作者は、超過ラウドネス値ＥＬＬ及び不足ラウドネス値ＳＬＬを補助指標として参照することにより、現在時点の平均ラウドネス値Ｌkを指標として参照する場合に比べ、音声レベルの調整が容易となる。
【００４４】
このように、本発明では、番組制作時において、残時間目標平均ラウドネス値Ｌ0、残時間目標平均ラウドネス値Ｌ0の許容上限値、残時間目標平均ラウドネス値Ｌ0の許容下限値、並びに、超過ラウドネス値ＥＬＬ及び不足ラウドネス値ＳＬＬのうちの少なくとも一つを補助指標として算出する。これにより、番組制作者は、この補助指標を参照することで、測定される番組全体の平均ラウドネス値を、予め設定されたターゲットラウドネス値Ｌtに簡便に近づけることができる。つまり、番組制作者は、現在時点までの平均ラウドネス値Ｌkだけでは得られない、番組の時間長全体を考慮した音声レベルの調整が可能となる。
【００４５】
〔音声レベル監視装置〕
次に、本発明の実施形態による音声レベル監視装置について説明する。図３は、音声レベル監視装置の構成を示すブロック図である。この音声レベル監視装置１は、番組制作者等のユーザにより、測定したい時間長である測定時間長Ｎall及び目標とするラウドネス値であるターゲットラウドネス値Ｌt等が予め設定される場合において、番組の音声レベルを監視し、番組の音声レベルを調整するための補助指標を算出し画面表示する装置である。
【００４６】
音声レベル監視装置１は、平均ラウドネス値算出手段１０、平均ラウドネス値表示手段１１、見込み有効ブロック数算出手段１２、残時間目標平均ラウドネス値算出手段１３、残時間目標平均ラウドネス値表示手段１４、超過・不足ラウドネス値算出手段１５及び超過・不足ラウドネス値表示手段１６を備えている。残時間目標平均ラウドネス値算出手段１３及び超過・不足ラウドネス値算出手段１５により、補助指標算出手段が構成される。
【００４７】
音声レベル監視装置１には、入力音声の音声信号（所定チャンネル数の音声信号）、ターゲットラウドネス値Ｌt、測定時間長Ｎall、許容上限ラウドネス値Ｌu及び許容下限ラウドネス値Ｌlが入力される。そして、音声レベル監視装置１により、現在時点の平均ラウドネス値Ｌkが算出され、補助指標として、残時間目標平均ラウドネス値Ｌ0、残時間目標平均ラウドネス値Ｌ0の許容上限値、残時間目標平均ラウドネス値Ｌ0の許容下限値、並びに、超過ラウドネス値ＥＬＬ及び不足ラウドネス値ＳＬＬのうちの少なくとも一つが算出され、画面表示される。
【００４８】
ターゲットラウドネス値Ｌt、測定時間長Ｎall、許容上限ラウドネス値Ｌu及び許容下限ラウドネス値Ｌlは、予め設定された値として音声レベル監視装置１に入力される。
【００４９】
〔平均ラウドネス値算出手段１０〕
平均ラウドネス値算出手段１０は、入力音声の音声信号を入力し、前記非特許文献１の勧告ＩＴＵ−Ｒ  ＢＳ．１７７０−３の規定に従い、測定開始時点から現在時点までの間の平均ラウドネス値Ｌk（現在時点の平均ラウドネス値Ｌk）を算出すると共に、後述する有効ブロック数ｍ等を算出する。
【００５０】
具体的には、平均ラウドネス値算出手段１０は、所定時間長のブロックを単位としたブロック毎に、音声信号の二乗平均値Ｚkを算出する（ブロック毎の二乗平均値算出処理を行う）。
【００５１】
次に、平均ラウドネス値算出手段１０は、ブロック毎に算出した二乗平均値Ｚkを用いて、閾値処理により所定の大きさ以下の無音とみなせるブロックの二乗平均値Ｚkを破棄する（絶対ゲーティング処理を行う）。
【００５２】
次に、平均ラウドネス値算出手段１０は、絶対ゲーティング処理にて破棄されなかったブロックの二乗平均値Ｚiを用いて、閾値処理により所定の大きさ以下の小音とみなせるブロックの二乗平均値Ｚiを破棄し、破棄されなかったブロックの二乗平均値Ｚiを用いて、測定開始時点から現在時点までの間の二乗平均値（現在時点の二乗平均値）
0006420660.tif 000012
、現在時点の平均ラウドネス値Ｌk及び有効ブロック数ｍを算出する（相対ゲーティング処理を行う）。
【００５３】
平均ラウドネス値算出手段１０により算出された有効ブロック数ｍは、見込み有効ブロック数算出手段１２、残時間目標平均ラウドネス値算出手段１３及び超過・不足ラウドネス値算出手段１５に出力される。また、平均ラウドネス値算出手段１０により算出された現在時点の平均ラウドネス値Ｌkに対応する二乗平均値
0006420660.tif 000013
は、残時間目標平均ラウドネス値算出手段１３及び超過・不足ラウドネス値算出手段１５に出力される。また、平均ラウドネス値算出手段１０により算出された現在時点の平均ラウドネス値Ｌkは、平均ラウドネス値表示手段１１に出力される。
【００５４】
図４は、平均ラウドネス値算出手段１０によるブロック毎の二乗平均値算出処理の一例を示すフローチャートであり、５チャンネルの入力音声の例を示している。平均ラウドネス値算出手段１０は、５チャンネルの入力音声の音声信号を入力し（ステップＳ４０１）、チャンネル毎に、４００ｍｓの時間長をブロックとして、ブロックの音声信号を切り出す（ステップＳ４０２）。
【００５５】
平均ラウドネス値算出手段１０は、チャンネル毎のブロックの音声信号に対し、Ｋ特性フィルタ処理を施し（ステップＳ４０３）、二乗平均値を算出し（ステップＳ４０４）、二乗平均値に対し、予め設定されたチャンネル毎の重み係数を乗算し（ステップＳ４０５）、チャンネル毎の乗算結果を全チャンネルにおいて加算する（ステップＳ４０６）。そして、平均ラウドネス値算出手段１０は、現在時点に対応するブロック数ｋをインクリメントし（ステップＳ４０７）、ステップＳ４０６の加算結果を現在時点のブロックの二乗平均値Ｚkとして生成する（ステップＳ４０８）。
【００５６】
尚、前記非特許文献１の勧告ＩＴＵ−Ｒ  ＢＳ．１７７０−３の規定によれば、入力音声のブロックは、１００ｍｓ毎にシフトする。したがって、ブロック毎の二乗平均値算出処理では、現在時点の前後において、重なりをもったブロックの音声信号にて処理される。ブロック数ｋは、測定開始時点に０が設定され、それ以降逐次カウントアップする。
【００５７】
このように、平均ラウドネス値算出手段１０は、ブロック毎の二乗平均値算出処理により、所定時間長のブロックを単位としたブロック毎に、音声信号の二乗平均値（ｋ番目のブロックの二乗平均値）Ｚkを算出する。そして、ｋ番目のブロックの二乗平均値Ｚkを用いて、後述する図５に示す絶対ゲーティング処理及び後述する図６に示す相対ゲーティング処理が行われる。
【００５８】
図５は、平均ラウドネス値算出手段１０による絶対ゲーティング処理を示すフローチャートである。平均ラウドネス値算出手段１０は、以下の式により、ブロック毎の二乗平均値算出処理により算出されたｋ番目のブロックの二乗平均値Ｚkを、ｋ番目のブロックのラウドネス値（モメンタリーラウドネス値）ＬＬkに変換する（ステップＳ５０１，ステップＳ５０２）。
［数１０］
ＬＬk＝−０．６９１＋１０ｌｏｇ10Ｚk      ・・・（１０）
前記式（１０）は、二乗平均値Ｚkとラウドネス値ＬＬkとの間の関係を定義する式であり、前記式（３）と同様である。
【００５９】
平均ラウドネス値算出手段１０は、ｋ番目のブロックのラウドネス値ＬＬkが−７０ＬＫＦＳよりも大きいか否かを判定し（ステップＳ５０３）、ラウドネス値ＬＬkが−７０ＬＫＦＳよりも大きくないと判定した場合（ステップＳ５０３：Ｎ）、ｋ番目のブロックの二乗平均値Ｚkを破棄する（ステップＳ５０４）。これにより、ｋ番目のブロックの音声信号は、−７０ＬＫＦＳ以下の無音とみなされ、聴感上番組全体の音の大きさに寄与しないとして、その二乗平均値Ｚkが破棄される。
【００６０】
一方、平均ラウドネス値算出手段１０は、ラウドネス値ＬＬkが−７０ＬＫＦＳよりも大きいと判定した場合（ステップＳ５０３：Ｙ）、ｋ番目のブロックの二乗平均値Ｚkを、図３には図示していないメモリに保存すると共に（ステップＳ５０５）、有効ブロック数ｎをインクリメントする（ステップＳ５０６）。これにより、ｋ番目のブロックの音声信号は、無音でないとみなされ、聴感上番組全体の音の大きさに寄与するとして、その二乗平均値Ｚkがメモリに保存される。尚、有効ブロック数ｎは、処理の開始において０に設定され、ステップＳ５０６においてカウントアップされる。
【００６１】
平均ラウドネス値算出手段１０は、ｋ番目のブロックにおける有効ブロック数ｎの二乗平均値
0006420660.tif 000014
を算出し（ステップＳ５０７）、図３には図示していないメモリに保存する（ステップＳ５０８）。
【００６２】
具体的には、平均ラウドネス値算出手段１０は、図３には図示していないメモリから、ステップＳ５０８にて保存した有効ブロック数（ｎ−１）の二乗平均値
0006420660.tif 000015
を読み出し、これにｋ番目のブロックの二乗平均値Ｚkを加算し、加算結果を有効ブロック数ｎで除算し、除算結果をｋ番目のブロックにおける有効ブロック数ｎの二乗平均値
0006420660.tif 000016
として求める。
【００６３】
このように、平均ラウドネス値算出手段１０は、絶対ゲーティング処理により、ブロック毎に算出した二乗平均値Ｚkを用いて、閾値処理にて所定の大きさ以下の無音とみなすことができる二乗平均値Ｚkを破棄する。
【００６４】
図６は、平均ラウドネス値算出手段１０による相対ゲーティング処理を示すフローチャートである。平均ラウドネス値算出手段１０は、前記式（１０）を用いて、絶対ゲーティング処理により算出されたｋ番目のブロックにおける有効ブロック数ｎの二乗平均値
0006420660.tif 000017
を、ラウドネス値Ｌaに変換する（ステップＳ６０１，ステップＳ６０２）。
【００６５】
平均ラウドネス値算出手段１０は、インデックスｉに０を設定すると共に、有効ブロック数ｍに０を設定する（ステップＳ６０３）。そして、平均ラウドネス値算出手段１０は、インデックスｉがブロック数ｋよりも小さいか否かを判定し（ステップＳ６０４）、インデックスｉがブロック数ｋよりも小さいと判定した場合（ステップＳ６０４：Ｙ）、ステップＳ６０６へ移行する。
【００６６】
平均ラウドネス値算出手段１０は、図５のステップＳ５０５の処理により保存されたｉ番目のブロックの二乗平均値Ｚiをメモリから読み出し、前記式（１０）を用いて、ｉ番目のブロックの二乗平均値Ｚiをラウドネス値ＬＬiに変換する（ステップＳ６０５）。
【００６７】
平均ラウドネス値算出手段１０は、ステップＳ６０４及びステップＳ６０５から移行して、ラウドネス値Ｌaから１０ＬＫＦＳを減算し、ｉ番目のブロックのラウドネス値ＬＬiがその減算結果よりも大きいか否かを判定し（ステップＳ６０６）、ラウドネス値ＬＬiが減算結果よりも大きくないと判定した場合（ステップＳ６０６：Ｎ）、ｉ番目のブロックの二乗平均値Ｚiを破棄する（ステップＳ６０７）。これにより、ｉ番目のブロックの音声信号は小音であるとみなされ、その二乗平均値Ｚiが破棄される。
【００６８】
一方、平均ラウドネス値算出手段１０は、ラウドネス値ＬＬiが減算結果よりも大きいと判定した場合（ステップＳ６０６：Ｙ）、有効ブロック数ｍをインクリメントする（ステップＳ６０８）。これにより、ｉ番目のブロックの音声信号は、無音でなくかつ小音でないとみなされる。
【００６９】
平均ラウドネス値算出手段１０は、ｉ番目のブロックにおける有効ブロック数ｍの二乗平均値
0006420660.tif 000018
を算出し（ステップＳ６０９）、図３には図示していないメモリに保存する（ステップＳ６１０）。
【００７０】
具体的には、平均ラウドネス値算出手段１０は、図３には図示していないメモリから、ステップＳ６１０にて保存した有効ブロック数（ｍ−１）の二乗平均値
0006420660.tif 000019
を読み出し、読み出した二乗平均値にｉ番目のブロックの二乗平均値Ｚiを加算し、加算結果を有効ブロック数ｍで除算し、除算結果をｉ番目のブロックにおける有効ブロック数ｍの二乗平均値
0006420660.tif 000020
として求める。
【００７１】
平均ラウドネス値算出手段１０は、インデックスｉをインクリメントし（ステップＳ６１１）、ステップＳ６０４へ移行する。
【００７２】
一方、平均ラウドネス値算出手段１０は、ステップＳ６０４において、インデックスｉがブロック数ｋよりも小さくないと判定した場合（ステップＳ６０４：Ｎ）、図３には図示していないメモリからｋ番目のブロックにおける有効ブロック数ｍの二乗平均値
0006420660.tif 000021
を読み出し、これを
0006420660.tif 000022
とし、前記式（１０）を用いて、これを現在時点の平均ラウドネス値Ｌkに変換する（ステップＳ６１２）。
【００７３】
このように、平均ラウドネス値算出手段１０は、相対ゲーティング処理により、絶対ゲーティング処理にて破棄されなかった二乗平均値Ｚiを用いて、閾値処理により所定の大きさ以下の小音とみなせる二乗平均値Ｚiを破棄し、破棄されなかった二乗平均値Ｚiを用いて、現在時点の二乗平均値
0006420660.tif 000023
、現在時点の平均ラウドネス値Ｌk及び有効ブロック数ｍを算出する。
【００７４】
図３に戻って、平均ラウドネス値表示手段１１は、平均ラウドネス値算出手段１０から現在時点の平均ラウドネス値Ｌkを入力し、現在時点の平均ラウドネス値Ｌkを画面表示する。
【００７５】
〔見込み有効ブロック数算出手段１２〕
見込み有効ブロック数算出手段１２は、予め設定された測定時間長Ｎallを入力すると共に、平均ラウドネス値算出手段１０から有効ブロック数ｍを入力し、前記式（１）により、現在時点における番組全体の見込み有効ブロック数Ｎを算出する。この見込み有効ブロック数Ｎは、残時間における全てのブロックが図５に示した絶対ゲーティング処理及び図６に示した相対ゲーティング処理によって有効であると仮定した場合に、有効ブロック数ｍを含むブロック数を示す。見込み有効ブロック数算出手段１２により算出された見込み有効ブロック数Ｎは、残時間目標平均ラウドネス値算出手段１３及び超過・不足ラウドネス値算出手段１５に出力される。
【００７６】
〔残時間目標平均ラウドネス値算出手段１３〕
残時間目標平均ラウドネス値算出手段１３は、予め設定されたターゲットラウドネス値Ｌtを入力すると共に、平均ラウドネス値算出手段１０から現在時点の二乗平均値
0006420660.tif 000024
及び有効ブロック数ｍを、見込み有効ブロック数算出手段１２から見込み有効ブロック数Ｎをそれぞれ入力する。そして、残時間目標平均ラウドネス値算出手段１３は、これらの値に基づいて、補助指標である残時間目標平均ラウドネス値Ｌ0を算出する。残時間目標平均ラウドネス値算出手段１３により算出された残時間目標平均ラウドネス値Ｌ0は、残時間目標平均ラウドネス値表示手段１４に出力される。
【００７７】
尚、残時間目標平均ラウドネス値算出手段１３は、図３に示していないが、許容上限ラウドネス値Ｌu及び許容下限ラウドネス値Ｌlを入力し、許容上限ラウドネス値Ｌuに対する残時間目標平均ラウドネス値Ｌ0の許容上限値、及び、許容下限ラウドネス値Ｌlに対する残時間目標平均ラウドネス値Ｌ0の許容下限値も算出する。残時間目標平均ラウドネス値算出手段１３により算出された残時間目標平均ラウドネス値Ｌ0の許容上限値及び許容下限値は、残時間目標平均ラウドネス値表示手段１４に出力される。
【００７８】
図７は、残時間目標平均ラウドネス値算出手段１３の構成を示すブロック図であり、図８は、残時間目標平均ラウドネス値算出手段１３の処理を示すフローチャートである。この残時間目標平均ラウドネス値算出手段１３は、ラウドネス値／二乗平均値変換段２０、メモリ２１、残時間目標二乗平均値算出段２２及び二乗平均値／ラウドネス値変換段２３を備えている。
【００７９】
ラウドネス値／二乗平均値変換段２０は、予め設定されたターゲットラウドネス値Ｌtを入力し（ステップＳ８０１）、前記式（１０）を用いて、ターゲットラウドネス値Ｌtをターゲット二乗平均値Ｚtに変換し（ステップＳ８０２）、メモリ２１に保存する。
【００８０】
尚、ラウドネス値／二乗平均値変換段２０は、前記式（１０）を用いて、許容上限ラウドネス値Ｌu及び許容下限ラウドネス値Ｌlも許容上限二乗平均値及び許容下限二乗平均値にそれぞれ変換し、メモリ２１に保存する。
【００８１】
残時間目標平均ラウドネス値算出手段１３は、平均ラウドネス値算出手段１０から現在時点の二乗平均値
0006420660.tif 000025
及び有効ブロック数ｍを、見込み有効ブロック数算出手段１２から見込み有効ブロック数Ｎを入力し（ステップＳ８０３）、これらの値をメモリ２１に保存する。
【００８２】
残時間目標二乗平均値算出段２２は、メモリ２１からターゲット二乗平均値Ｚt、現在時点の二乗平均値
0006420660.tif 000026
、有効ブロック数ｍ及び見込み有効ブロック数Ｎを読み出し、前記式（２）により、残時間目標二乗平均値
0006420660.tif 000027
を算出する（ステップＳ８０４）。残時間目標二乗平均値算出段２２により算出された残時間目標二乗平均値
0006420660.tif 000028
は、二乗平均値／ラウドネス値変換段２３に出力される。
【００８３】
尚、残時間目標二乗平均値算出段２２は、メモリ２１から許容上限二乗平均値及び許容下限二乗平均値も読み出し、前記式（２）により、残時間目標二乗平均値の許容上限値及び許容下限値を算出する。残時間目標二乗平均値算出段２２により算出された残時間目標二乗平均値の許容上限値及び許容下限値も、二乗平均値／ラウドネス値変換段２３に出力される。
【００８４】
二乗平均値／ラウドネス値変換段２３は、残時間目標二乗平均値算出段２２から残時間目標二乗平均値
0006420660.tif 000029
を入力し、前記式（１０）を用いて、これを残時間目標平均ラウドネス値Ｌ0に変換する（ステップＳ８０５）。二乗平均値／ラウドネス値変換段２３により変換された残時間目標平均ラウドネス値Ｌ0は、残時間目標平均ラウドネス値表示手段１４に出力される（ステップＳ８０６）。
【００８５】
尚、二乗平均値／ラウドネス値変換段２３は、残時間目標二乗平均値算出段２２から残時間目標二乗平均値の許容上限値及び許容下限値も入力し、前記式（１０）を用いて、これらを残時間目標平均ラウドネス値Ｌ0の許容上限値及び許容下限値に変換する。二乗平均値／ラウドネス値変換段２３により変換された残時間目標平均ラウドネス値Ｌ0の許容上限値及び許容下限値も、残時間目標平均ラウドネス値表示手段１４に出力される。
【００８６】
図３に戻って、残時間目標平均ラウドネス値表示手段１４は、残時間目標平均ラウドネス値算出手段１３から残時間目標平均ラウドネス値Ｌ0、並びに残時間目標平均ラウドネス値Ｌ0の許容上限値及び許容下限値入力し、これらを補助指標として画面表示する。
【００８７】
このように、残時間目標平均ラウドネス値算出手段１３により、現在時点において、残時間で目標とすべきラウドネス値である残時間目標平均ラウドネス値Ｌ0が算出され、残時間目標平均ラウドネス値表示手段１４により補助指標として画面表示される。この残時間目標平均ラウドネス値Ｌ0は、現在時点から測定終了時点までの平均ラウドネス値を当該残時間目標平均ラウドネス値Ｌ0に一致させることで、測定終了時点における番組全体の平均ラウドネス値をターゲットラウドネス値Ｌtに近づけることを可能とする値である。しかし、実際には、現在時点から測定終了時点までの平均ラウドネス値は、現在時点以降の未来の値であるため、瞬時的なラウドネス値の変動から予測するしかない。
【００８８】
したがって、番組制作者は、画面表示された残時間目標平均ラウドネス値Ｌ0を参照し、現在時点以降において、瞬時的なラウドネス値の平均的な値を残時間目標平均ラウドネス値Ｌ0に一致させるように、音声レベルを調整することにより、測定終了時点における番組全体の平均ラウドネス値をターゲットラウドネス値Ｌtに簡便に近づけることができる。
【００８９】
また、残時間目標平均ラウドネス値算出手段１３により、現在時点において、残時間で、許容上限ラウドネス値Ｌu及び許容下限ラウドネス値Ｌlを目標とした場合の残時間目標平均ラウドネス値Ｌ0の許容上限値及び許容下限値が算出され、残時間目標平均ラウドネス値表示手段１４により補助指標として画面表示される。この残時間目標平均ラウドネス値Ｌ0の許容上限値は、現在時点から測定終了時点までの平均ラウドネス値を当該残時間目標平均ラウドネス値Ｌ0の許容上限値以下にすることで、測定終了時点における番組全体の平均ラウドネス値を許容上限ラウドネス値Ｌu以下にすることを可能とする値である。また、この残時間目標平均ラウドネス値Ｌ0の許容下限値は、現在時点から測定終了時点までの平均ラウドネス値を当該残時間目標平均ラウドネス値Ｌ0の許容下限値以上にすることで、測定終了時点における番組全体の平均ラウドネス値を許容下限ラウドネス値Ｌl以上にすることを可能とする値である。しかし、実際には、現在時点から測定終了時点までの平均ラウドネス値は、現在時点以降の未来の値であるため、瞬時的なラウドネス値の変動から予測するしかない。
【００９０】
したがって、番組制作者は、画面表示された残時間目標平均ラウドネス値Ｌ0の許容上限値及び許容下限値を参照し、現在時点以降において、瞬時的なラウドネス値の平均的な値が残時間目標平均ラウドネス値Ｌ0の許容上限値以下であってかつ許容下限値以上になるように、音声レベルを調整することにより、測定終了時点における番組全体の平均ラウドネス値をターゲットラウドネス値Ｌtに簡便に近づけることができる。
【００９１】
〔超過・不足ラウドネス値算出手段１５〕
図３に戻って、超過・不足ラウドネス値算出手段１５は、予め設定されたターゲットラウドネス値Ｌt、許容上限ラウドネス値Ｌu及び許容下限ラウドネス値Ｌlを入力すると共に、平均ラウドネス値算出手段１０から二乗平均値
0006420660.tif 000030
及び有効ブロック数ｍを、見込み有効ブロック数算出手段１２から見込み有効ブロック数Ｎをそれぞれ入力する。そして、超過・不足ラウドネス値算出手段１５は、これらの値に基づいて、補助指標である超過ラウドネス値ＥＬＬ及び不足ラウドネス値ＳＬＬを算出する。超過・不足ラウドネス値算出手段１５により算出された超過ラウドネス値ＥＬＬ及び不足ラウドネス値ＳＬＬは、超過・不足ラウドネス値表示手段１６に出力される。
【００９２】
図９は、超過・不足ラウドネス値算出手段１５の構成を示すブロック図であり、図１０は、超過・不足ラウドネス値算出手段１５の処理を示すフローチャートである。この超過・不足ラウドネス値算出手段１５は、ラウドネス値／二乗平均値変換段３０、メモリ３１及び超過・不足ラウドネス値算出段３２を備えている。
【００９３】
ラウドネス値／二乗平均値変換段３０は、予め設定されたターゲットラウドネス値Ｌt、許容上限ラウドネス値Ｌu及び許容下限ラウドネス値Ｌlを入力し（ステップＳ１００１）、前記式（１０）を用いて、これらの値を、ターゲット二乗平均値Ｚt、許容上限二乗平均値Ｚu及び許容下限二乗平均値Ｚlにそれぞれ変換し（ステップＳ１００２）、メモリ３１に保存する。
【００９４】
超過・不足ラウドネス値算出手段１５は、平均ラウドネス値算出手段１０から二乗平均値
0006420660.tif 000031
及び有効ブロック数ｍを、見込み有効ブロック数算出手段１２から見込み有効ブロック数Ｎを入力し（ステップＳ１００３）、これらの値をメモリ３１に保存する。
【００９５】
超過・不足ラウドネス値算出段３２は、メモリ３１からターゲット二乗平均値Ｚt、許容上限二乗平均値Ｚu、許容下限二乗平均値Ｚl、二乗平均値
0006420660.tif 000032
、有効ブロック数ｍ及び見込み有効ブロック数Ｎを読み出し、二乗平均値
0006420660.tif 000033
とターゲット二乗平均値Ｚtとを比較する（ステップＳ１００４）。
【００９６】
超過・不足ラウドネス値算出段３２は、ステップＳ１００４において、二乗平均値
0006420660.tif 000034
がターゲット二乗平均値Ｚt以上であると判定した場合、前記式（８）により、超過ラウドネス値ＥＬＬを算出し（ステップＳ１００５）、前記式（９）により、不足ラウドネス値ＳＬＬに−∞を設定する（ステップＳ１００６）。
【００９７】
一方、超過・不足ラウドネス値算出段３２は、ステップＳ１００４において、二乗平均値
0006420660.tif 000035
がターゲット二乗平均値Ｚtよりも小さいと判定した場合、前記式（８）により、超過ラウドネス値ＥＬＬに−∞を設定し（ステップＳ１００７）、前記式（９）により、不足ラウドネス値ＳＬＬを算出する（ステップＳ１００８）。
【００９８】
超過・不足ラウドネス値算出段３２により算出または設定された超過ラウドネス値ＥＬＬ及び不足ラウドネス値ＳＬＬは、超過・不足ラウドネス値表示手段１６に出力される（ステップＳ１００９）。
【００９９】
〔超過・不足ラウドネス値表示手段１６〕
図３に戻って、超過・不足ラウドネス値表示手段１６は、超過・不足ラウドネス値算出手段１５から超過ラウドネス値ＥＬＬ及び不足ラウドネス値ＳＬＬを入力し、これらの値を画面表示する。
【０１００】
図１１は、超過・不足ラウドネス値表示手段１６により画面表示された超過ラウドネス値ＥＬＬ及び不足ラウドネス値ＳＬＬの表示形態の一例を示す図である。超過ラウドネス値ＥＬＬは、現在時点の平均ラウドネス値Ｌkがターゲットラウドネス値Ｌtよりも大きい場合にのみ、有限値を持つように定義され、また、不足ラウドネス値ＳＬＬは、現在時点の平均ラウドネス値Ｌkがターゲットラウドネス値Ｌtよりも小さい場合にのみ、有限値を持つように定義される。超過ラウドネス値ＥＬＬまたは不足ラウドネス値ＳＬＬの一方が値を持つ場合、他方は−∞（ｄＢ）となる。
【０１０１】
図１１に示す超過ラウドネス値ＥＬＬ及び不足ラウドネス値ＳＬＬの表示形態は、これらのレベルを、１本のレベルメータ内に表示したものである。超過ラウドネス値ＥＬＬのレベルは、レベルメータの中心から上端までの間の上部（超過していることを示す側）に表示され、不足ラウドネス値ＳＬＬのレベルは、レベルメータの中心から下端までの間の下部（不足していることを示す側）に表示される。レベルメータの中心は−∞（ｄＢ）であり、現在時点の平均ラウドネス値Ｌkがターゲットラウドネス値Ｌtに一致している場合、レベルはレベルメータの中心の位置に表示される。また、平均ラウドネス値Ｌkがターゲットラウドネス値Ｌtよりも大きい場合、レベルは中心の位置よりも上側へ振れ、逆に不足している場合、レベルは中心の位置よりも下側へ振れる。
【０１０２】
平均ラウドネス値Ｌkが許容上限ラウドネス値Ｌuよりも大きい場合、レベルメータは上部の０（ｄＢ）の位置よりも上側へ振れる。この超過部分を赤色等で表示する（平均ラウドネス値Ｌkがターゲットラウドネス値Ｌtよりも大きく、かつ許容上限ラウドネス値Ｌu以下の場合とは異なる表示形態で表示する）ことにより、番組制作者に対し、注意を喚起することができる。また、平均ラウドネス値Ｌkが許容下限ラウドネス値Ｌlよりも小さい場合、レベルメータは下部の０（ｄＢ）の位置よりも下側へ振れる。この不足部分を赤色等で表示する（平均ラウドネス値Ｌkがターゲットラウドネス値Ｌtよりも小さく、かつ許容下限ラウドネス値Ｌl以上の場合とは異なる表示形態で表示する）ことにより、番組制作者に対し、注意を喚起することができる。
【０１０３】
図１１（ａ）は、二乗平均値
0006420660.tif 000036
がターゲット二乗平均値Ｚt以上であり、超過ラウドネス値ＥＬＬが−∞より大きく、かつ０より小さい場合の表示形態を示している。番組制作者は、図１１（ａ）に示す画面表示により、超過ラウドネス値ＥＬＬの程度を知ることができ、平均ラウドネス値Ｌkが許容上限ラウドネス値Ｌuに達するまで余裕があることを認識することができる。
【０１０４】
図１１（ｂ）は、二乗平均値
0006420660.tif 000037
がターゲット二乗平均値Ｚt以上であり、超過ラウドネス値ＥＬＬが０以上である場合の表示形態を示している。番組制作者は、図１１（ｂ）に示す画面表示により、超過ラウドネス値ＥＬＬの程度を知ることができ、平均ラウドネス値Ｌkが許容上限ラウドネス値Ｌuに達しており、超過していることを認識することができる。
【０１０５】
図１１（ｃ）は、二乗平均値
0006420660.tif 000038
がターゲット二乗平均値Ｚtより小さく、不足ラウドネス値ＳＬＬが−∞より大きく、かつ０より小さい場合の表示形態を示している。番組制作者は、図１１（ｃ）に示す画面表示により、不足ラウドネス値ＳＬＬの程度を知ることができ、平均ラウドネス値Ｌkが許容下限ラウドネス値Ｌlに達するまで余裕があることを認識することができる。
【０１０６】
図１１（ｄ）は、二乗平均値
0006420660.tif 000039
がターゲット二乗平均値Ｚtより小さく、不足ラウドネス値ＳＬＬが０以上である場合の表示形態を示している。番組制作者は、図１１（ｄ）に示す画面表示により、不足ラウドネス値ＳＬＬの程度を知ることができ、平均ラウドネス値Ｌkが許容下限ラウドネス値Ｌlに達しており、不足していることを認識することができる。
【０１０７】
このように、図１１（ａ）〜（ｄ）に示した表示形態により、番組制作者は、直感的に超過ラウドネス値ＥＬＬ及び不足ラウドネス値ＳＬＬを知ることができ、平均ラウドネス値Ｌkの超過、不足及び余裕の程度を認識することができる。したがって、番組制作者は、測定終了時点における番組全体の平均ラウドネス値をターゲットラウドネス値Ｌtに一層簡便に近づけることができる。
【０１０８】
以上のように、本発明の実施形態の音声レベル監視装置１によれば、平均ラウドネス値算出手段１０は、ブロック毎の二乗平均値算出処理により、ブロック毎に音声信号の二乗平均値Ｚkを算出し、絶対ゲーティング処理により、二乗平均値Ｚkを用いて、閾値処理により所定の大きさ以下の無音とみなせる二乗平均値Ｚkを破棄し、相対ゲーティング処理により、絶対ゲーティング処理にて破棄されなかった二乗平均値Ｚiを用いて、閾値処理により所定の大きさ以下の小音とみなせる二乗平均値Ｚiを破棄し、破棄されなかった二乗平均値Ｚiを用いて、現在時点の二乗平均値
0006420660.tif 000040
、現在時点の平均ラウドネス値Ｌk、及び破棄されなかった二乗平均値Ｚiの数である有効ブロック数ｍを算出するようにした。
【０１０９】
そして、見込み有効ブロック数算出手段１２は、予め設定された測定時間長Ｎall及び有効ブロック数ｍを用いて、前記式（１）により、現在時点における番組全体の見込み有効ブロック数Ｎを算出するようにした。また、残時間目標平均ラウドネス値算出手段１３は、予め設定されたターゲットラウドネス値Ｌtに対応するターゲット二乗平均値Ｚt、現在時点の二乗平均値
0006420660.tif 000041
、有効ブロック数ｍ及び見込み有効ブロック数Ｎを用いて、前記（２）及び前記（３）により、補助指標である残時間目標平均ラウドネス値Ｌ0を算出する。同様に、残時間目標平均ラウドネス値算出手段１３は、許容上限ラウドネス値Ｌuに対する残時間目標平均ラウドネス値Ｌ0の許容上限値、及び、許容下限ラウドネス値Ｌlに対する残時間目標平均ラウドネス値Ｌ0の許容下限値を補助指標として算出する。
【０１１０】
補助指標である残時間目標平均ラウドネス値Ｌ0は、残時間を考慮した指標であって、現在時点から測定終了時点までの平均ラウドネス値をこの値に一致させることで、測定終了時点における番組全体の平均ラウドネス値をターゲットラウドネス値Ｌtに近づけることを可能とする値である。しかし、実際には、現在時点から測定終了時点までの平均ラウドネス値は、現在時点以降の未来の値であるため、瞬時的なラウドネス値の変動から予測するしかない。したがって、番組制作者は、この残時間目標平均ラウドネス値Ｌ0を参照し、瞬時的なラウドネス値の平均的な値が残時間目標平均ラウドネス値Ｌ0に一致するように音声レベルを調整することで、測定開始時点からの経過時間に関わることなく、番組全体の平均ラウドネス値をターゲットラウドネス値Ｌtに簡便に近づけることができる。
【０１１１】
補助指標である残時間目標平均ラウドネス値Ｌ0の許容上限値及び許容下限値は、残時間を考慮した指標であって、現在時点から測定終了時点までの平均ラウドネス値を、許容上限値以下であってかつ許容下限値以上の値とすることで、測定終了時点における番組全体の平均ラウドネス値を、許容上限ラウドネス値Ｌu以下であってかつ許容下限ラウドネス値Ｌl以上の値に近づけることを可能とする値である。しかし、実際には、現在時点から測定終了時点までの平均ラウドネス値は、現在時点以降の未来の値であるため、瞬時的なラウドネス値の変動から予測するしかない。したがって、番組制作者は、これらの残時間目標平均ラウドネス値Ｌ0の許容上限値及び許容下限値を参照し、瞬時的なラウドネス値の平均的な値が残時間目標平均ラウドネス値Ｌ0の許容上限値以下であってかつ許容下限値以上になるように音声レベルを調整することで、測定開始時点からの経過時間に関わることなく、番組全体の平均ラウドネス値をターゲットラウドネス値Ｌtに簡便に近づけることができる。
【０１１２】
さらに、超過・不足ラウドネス値算出手段１５は、予め設定されたターゲットラウドネス値Ｌtに対応するターゲット二乗平均値Ｚt、予め設定された許容上限ラウドネス値Ｌuに対応する許容上限二乗平均値Ｚu、予め設定された許容下限ラウドネス値Ｌlに対応する許容下限ラウドネス値Ｌl、現在時点の二乗平均値
0006420660.tif 000042
、有効ブロック数ｍ及び見込み有効ブロック数Ｎを用いて、前記（８）及び前記（９）により、補助指標である超過ラウドネス値ＥＬＬ及び不足ラウドネス値ＳＬＬを算出するようにした。
【０１１３】
補助指標である超過ラウドネス値ＥＬＬは、残時間を考慮した指標であって、現在時点における平均ラウドネス値Ｌkの超過及び余裕の程度を表す値であり、補助指標である不足ラウドネス値ＳＬＬは、残時間を考慮した指標であって、現在時点における平均ラウドネス値Ｌkの不足及び余裕の程度を表す値である。したがって、番組制作者は、これらの超過ラウドネス値ＥＬＬ及び不足ラウドネス値ＳＬＬを参照することで、測定開始時点からの経過時間に関わることなく、測定される番組全体の平均ラウドネス値Ｌkをターゲットラウドネス値Ｌtに簡便に近づけることができる。
【０１１４】
尚、本発明の実施形態による音声レベル監視装置１のハードウェア構成としては、通常のコンピュータを使用することができる。音声レベル監視装置１は、ＣＰＵ、ＲＡＭ等の揮発性の記憶媒体、ＲＯＭ等の不揮発性の記憶媒体、及びインターフェース等を備えたコンピュータによって構成される。音声レベル監視装置１に備えた平均ラウドネス値算出手段１０、平均ラウドネス値表示手段１１、見込み有効ブロック数算出手段１２、残時間目標平均ラウドネス値算出手段１３、残時間目標平均ラウドネス値表示手段１４、超過・不足ラウドネス値算出手段１５及び超過・不足ラウドネス値表示手段１６の各機能は、これらの機能を記述したプログラムをＣＰＵに実行させることによりそれぞれ実現される。これらのプログラムは、前記記憶媒体に格納されており、ＣＰＵに読み出されて実行される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【０１１５】
以上、実施形態を挙げて本発明を説明したが、本発明は前記実施形態に限定されるものではなく、その技術思想を逸脱しない範囲で種々変形可能である。例えば、前記実施形態では、残時間目標平均ラウドネス値算出手段１３は、見込み有効ブロック数Ｎ、及び番組全体のブロック数である測定時間長Ｎall等を用いて、残時間目標平均ラウドネス値Ｌ0を算出するようにした。この例は、番組の時間長が固定であり、全体のブロック数である測定時間長Ｎallが固定の時間長に設定されている場合を示している。
【０１１６】
これに対し、番組の時間長が固定でなく可変であり、全体のブロック数である測定時間長Ｎallが設定されない場合も、残時間目標平均ラウドネス値算出手段１３により残時間目標平均ラウドネス値Ｌ0が算出される。具体的には、番組全体のブロック数である測定時間長Ｎallを想定した場合に、測定時間長Ｎallに対して十分短い時間長の固定ブロック数が予め設定されるものとする。残時間目標平均ラウドネス値算出手段１３は、現在時点を基準にして、現在時点よりも固定ブロック数後の時刻（時間経過と共にシフトする）における平均ラウドネス値Ｌkをターゲットラウドネス値Ｌtに一致させるように、前記式（２）及び前記式（３）により、残時間目標平均ラウドネス値Ｌ0を算出するようにしてもよい。この場合、前記式（１）において、見込み有効ブロック数Ｎは、測定時間長Ｎallが、測定開始時点から現在時点よりも固定ブロック数後の時点までの間のブロック数であるとして算出される。また、算出処理の途中で番組の終了が設定された場合、固定ブロック数は、現在時点から番組の終了である測定終了時点までの間の残りブロック数が固定ブロック数より小さくなったタイミングから、または予め設定されたタイミングから、時間の経過と共にカウントダウンするようにしてもよい。
【０１１７】
これにより、番組の時間長が固定でなく可変であり、番組の終了が予め設定されない場合であっても、補助指標である残時間目標平均ラウドネス値Ｌ0を算出することができる。
【０１１８】
また、残時間目標平均ラウドネス値算出手段１３は、測定開始時点において、測定終了時点を、測定開始時点から測定終了時点までの間の番組全体のブロック数である測定時間長Ｎall後の時点に設定する。これにより、測定時間長を固定の時間長とすることができる。そして、残時間目標平均ラウドネス値算出手段１３は、オペレータの操作に従って切り替え信号を入力すると、測定終了時点を、現在時点よりも所定時間後の時点に設定することで、測定終了時点を変更する。これにより、測定時間長を可変の時間長とすることができる。また、残時間目標平均ラウドネス値算出手段１３は、オペレータの操作に従って終了信号を入力すると、測定終了時点を現在時点よりも所定時間後の時点に設定する処理を止め、既に設定済みの測定終了時点を固定にする。
【０１１９】
また、番組の構成が予め決定されている場合には、番組途中の複数の時点において目標とする番組構成上のターゲットラウドネス値Ｌt’をそれぞれ設定しておき、それぞれの時点を測定終了時点とみなすようにしてもよい。番組途中の複数の時点における番組構成上のターゲットラウドネス値Ｌt’は、番組全体の平均ラウドネス値Ｌkがターゲットラウドネス値Ｌtに一致するように、設定される。番組前半の音声レベルを低くし、番組後半の音声レベルを高くするように番組が構成された場合、番組全体の平均ラウドネス値Ｌkがターゲットラウドネス値Ｌt＝−２４ＬＫＦＳに一致することを前提に、例えば、番組前半の番組構成上のターゲットラウドネス値Ｌt’＝−２４．５ＬＫＦＳ、及び番組後半の番組構成上のターゲットラウドネス値Ｌt’＝−２３．５ＬＫＦＳが予め設定される。
【０１２０】
この場合、見込み有効ブロック数算出手段１２は、前記式（１）において、測定時間長Ｎallを、測定開始時点から番組途中に設定されたそれぞれの時点までの間のブロック数の時間長とし、見込み有効ブロック数Ｎを算出する。そして、残時間目標平均ラウドネス値算出手段１３は、現在時点において、番組途中に設定された複数の時点のうち直近の時点における番組構成上のターゲットラウドネス値Ｌt’を用いて、残時間目標平均ラウドネス値Ｌ0を算出する。
【０１２１】
これにより、番組制作者は、番組途中に設定された複数の時点のうち直近の時点を測定終了時点として、その番組構成上のターゲットラウドネス値Ｌt’に対応した残時間目標平均ラウドネス値Ｌ0を補助指標として参照することができ、番組の構成に応じて、番組全体の平均ラウドネス値Ｌkをターゲットラウドネス値Ｌtに簡便に近づけることができる。
【０１２２】
また、前記実施形態では、平均ラウドネス値算出手段１０は、相対ゲーティング処理により、絶対ゲーティング処理にて算出したラウドネス値Ｌaを基準にして閾値処理を行うようにしたが、ラウドネス値Ｌaの代わりにターゲットラウドネス値Ｌtを基準にして閾値処理を行うようにしてもよい。これにより、絶対ゲーティング処理にてラウドネス値Ｌaを算出する必要がなく、相対ゲーティング処理を絶対ゲーティング処理と同様の計算フローで算出することができるため、処理負荷を低減することができる。
【０１２３】
また、前記実施形態では、超過・不足ラウドネス値表示手段１６は、図１１（ａ）〜（ｄ）に示した表示形態にて、超過ラウドネス値ＥＬＬ及び不足ラウドネス値ＳＬＬを画面表示するようにしたが、この表示形態は一例である。本発明は、この表示形態に限定されるものではなく、番組制作者等のユーザに対し、ラウドネス値の超過、不足及び余裕の程度を直感的に認識させる表示形態であればよい。
【産業上の利用可能性】
【０１２４】
本発明による補助指標を算出する音声レベル監視装置は、テレビ番組のラウドネス値により音声レベルを管理する分野において有用である。
【符号の説明】
【０１２５】
１  音声レベル監視装置
１０  平均ラウドネス値算出手段
１１  平均ラウドネス値表示手段
１２  見込み有効ブロック数算出手段
１３  残時間目標平均ラウドネス値算出手段
１４  残時間目標平均ラウドネス値表示手段
１５  超過・不足ラウドネス値算出手段
１６  超過・不足ラウドネス値表示手段
２０，３０  ラウドネス値／二乗平均値変換段
２１，３１  メモリ
２２  残時間目標二乗平均値算出段
２３  二乗平均値／ラウドネス値変換段
３２  超過・不足ラウドネス値算出段
【図１】
0006420660.tif 000043
【図２】
0006420660.tif 000044
【図３】
0006420660.tif 000045
【図４】
0006420660.tif 000046
【図５】
0006420660.tif 000047
【図６】
0006420660.tif 000048
【図７】
0006420660.tif 000049
【図８】
0006420660.tif 000050
【図９】
0006420660.tif 000051
【図１０】
0006420660.tif 000052
【図１１】
0006420660.tif 000053